(57)【要約】【課題】扉のガタ付きを防止するとともに機器の落下や振動時の扉の脱落を防止し、商品の品格を向上することができる回転軸支持構造を提供する。【解決手段】捩じりコイルバネ１６の端部の形状変更により、部品の追加なしで回転軸１５のスライド方向Ｅ、Ｄの動きを防止するとともに、軸受けの一部に軸装着用として設けられていた開放端を無くす構造にすることにより、扉１４のガタ付きを無くす。【選択図】図１
2005076691.tif 000002
【特許請求の範囲】
【請求項１】
開口を持つパネル本体の両端で前記開口側に設けられた第１の軸受けと、平板状の扉の両端に設けられ前記第１の軸受けと同一中心を持つ第２の軸受けと、前記第１の軸受けと前記第２の軸受けの前記同一中心に挿入される回転軸と、前記回転軸を芯にしたコイル状に設けられた捩じりコイルバネとを有し、前記捩じりコイルバネを、そのコイルの一端からの延長部が前記扉を前記パネル本体の開口を閉じる方向に付勢するとともに、前記コイルの他端からの延長部が前記回転軸を前記第１の軸受けに付勢するように形成したことを特徴とする回転軸支持構造。
【発明の詳細な説明】
【技術分野】
【０００１】
本発明は、例えばオーディオ機器のフロントパネルの凹部にその凹部を閉塞するように設けられる扉を回動自在に支持する回転軸の支持構造に関するものである。
【背景技術】
【０００２】
従来から、例えばデジタルスチルカメラやオーディオ機器においては、着脱可能な記録媒体（ＳＤやＣＤなど）を装着するために、例えばフロントパネルに凹部が形成され、その凹部を閉塞するように蓋状の扉が取り付けられており、この扉を記録媒体の着脱時に回動自在に支持するような回転軸支持構造が多く用いられている。
【０００３】
このような従来の回転軸支持構造は、先行文献（例えば、特許文献１を参照）に記載されているように、その第１図（本発明の図１と異なる）において、フロントパネルの凹部に回転軸により回動自在に取り付けられた扉が、機器の落下や振動時に回転軸の受け孔の開放端から脱落しないように、捩じりコイルバネの端部をフロントパネルの溝に挿入している。
【特許文献１】特開平４−３５５２９５号公報（第１図）
【発明の開示】
【発明が解決しようとする課題】
【０００４】
しかしながら上記のような従来の構成では、回転軸の受け孔の一部が開放端になっているため、捩じりコイルバネの伸びや変形が発生した場合には、扉のガタ付きに結びつく。また、機器が落下したり振動して捩じりコイルバネの端部がフロントパネルの溝部から外れてしまうことがあり、この場合には、扉が脱落してしまう。このような不具合により、商品の品格が低下するという問題点を有していた。
【０００５】
本発明は、上記従来の問題点を解決するもので、扉のガタ付きを防止するとともに、機器の落下や振動時の扉の脱落を防止し、商品の品格を向上することができる回転軸支持構造を提供する。
【課題を解決するための手段】
【０００６】
上記の課題を解決するために、本発明の請求項１に記載の回転軸支持構造は、開口を持つパネル本体の両端で前記開口側に設けられた第１の軸受けと、平板状の扉の両端に設けられ前記第１の軸受けと同一中心を持つ第２の軸受けと、前記第１の軸受けと前記第２の軸受けの前記同一中心に挿入される回転軸と、前記回転軸を芯にしたコイル状に設けられた捩じりコイルバネとを有し、前記捩じりコイルバネを、そのコイルの一端からの延長部が前記扉を前記パネル本体の開口を閉じる方向に付勢するとともに、前記コイルの他端からの延長部が前記回転軸を前記第１の軸受けに付勢するように形成したことを特徴とする。
【０００７】
以上により、捩じりコイルバネの端部の形状変更により、部品の追加なしで回転軸のスライド方向の動きを防止するとともに、軸受けの一部に軸装着用として設けられていた開放端を無くす構造にすることにより、扉のガタ付きを無くすことができる。
【発明の効果】
【０００８】
以上のように本発明によれば、捩じりコイルバネの端部の形状変更により、部品の追加なしで回転軸のスライド方向の動きを防止することができるため、扉を回動自在に支持しつつ扉の脱落を防止することができる。
【０００９】
また、軸受けの一部に軸装着用として設けられていた開放端を無くす構造にすることにより、扉のガタ付きを無くすことができ、商品の品格も向上することができる。
【発明を実施するための最良の形態】
【００１０】
以下、本発明の実施の形態を示す回転軸支持構造について、図面を参照しながら具体的に説明する。
図１は本実施の形態の回転軸支持構造を原理的に説明するための摸式図であり、図２は本実施の形態の回転軸支持構造の具体構成を示す斜視図である。本実施の形態の回転軸支持構造は、図１に示すように、パネル本体１０に設けた開口１１と、この開口１１の両端でパネル本体１０の内側に設けた軸受け１２と、軸受け１２の中心と同じ中心の軸受け１３を両端に有している扉１４と、パネル本体１０の軸受け１２と扉１４の軸受け１３に挿入する回転軸１５と、扉１４がパネル本体１０の開口１１を閉じる方向に付勢する捩じりコイルバネ１６から構成されている。
【００１１】
上記の回転軸１５は、３種類の径を有し、一端の外径Ａは、パネル本体１０の軸受け１２の内径、扉１４の軸受け１３の内径および捩じりコイルバネ１６の内径より小さく、中央凸部１５ｔの外径Ｂは、パネル本体１０の軸受け１２の内径及び扉１４の軸受け１３の内径より大きく、他端の外径Ｃは、中央凸部１５ｔの外径Ｂより小さくなっている。これら３種類の径は、例えば、Ａ＝φ１．２ｍｍとした場合、例えば、Ｂ＝φ１．７５ｍｍおよび例えば、Ｃ＝φ１ｍｍとするように、これぐらいの差が得られるような寸法の組み合わせにすればよい。
【００１２】
また、回転軸１５を、Ｄ方向にパネル本体１０の軸受け１２、扉１４の軸受け１３、捩じりコイルバネ１６の順に差し込んだ時、回転軸１５の中央凸部１５ｔの内側の壁が、パネル本体１０の軸受け１２の外側の壁に当たり、Ｄ方向へは移動しない。このようにＤ方向へは移動しないが、Ｅ方向（Ｄ方向の反対）には移動する。
【００１３】
これに対し、回転軸１５がＥ方向に移動して、回転軸１５の先端がパネル本体１０の軸受け１２及び扉１４の軸受け１３から脱落し、扉１４が落下しないように、常にＤ方向へ付勢しておくことが必要である。そのためにパネル本体１０の軸受け１２及び扉１４の軸受け１３の内側に配置している捩じりコイルバネ１６のＥ方向の端部が両軸受け１２、１３を回避して、外側に伸び回転軸１５の端部の外径Ｃに冠着し、コイルバネ１６のＤ方向への圧力が回転軸１５の中央凸部１５ｔの外側の壁を押し、回転軸１５の先端の上記のような脱落を防止する。
【００１４】
このような回転軸支持構造を備えた構成例として、デジタルスチルカメラの内部斜視図を図２に示す。図２に示すように、捩じりコイルバネ１６の端部が回転軸１５を外側から内側に付勢し、回転軸１５の脱落を防止している。
【００１５】
なお、本実施の形態では、捩じりコイルバネ１６が回転軸１５の端部の外径Ｃに巻付くようになっているが、回転軸１５の端面をコイルバネ１６が外側から内側に押す、あるいは、回転軸１５の端部に孔を開けてコイルバネ１６の端部を挿入しても、同様の効果を得ることは言うまでもない。
【産業上の利用可能性】
【００１６】
本発明の回転軸支持構造は、蓋状の扉のガタ付きおよび脱落を防止できるものであり、例えばフロントパネルの凹部を閉塞するように設けられる扉を回動自在に支持するための構造を有するオーディオ機器等に適用できる。
【図面の簡単な説明】
【００１７】
【図１】本発明の実施の形態の回転軸支持構造を原理的に説明するための摸式図
【図２】同実施の形態の回転軸支持構造の具体例を示す斜視図
【符号の説明】
【００１８】
１０    パネル本体（固定側）
１１    開口
１２、１３    軸受け
１４    扉（回転側）
１５    回転軸
１６    捩じりコイルバネ
【図１】
2005076691.tif 000003
【図２】
2005076691.tif 000004